(57)【要約】【課題】  折角腕章を一旦し終わったのに、表示情報３の位置が不適正となったため、装着作業をやり直す必要が生じるということがないようにする。【解決手段】  帯状のシート状体からなる腕章本体２の長さ方向中央部に、クリップ７を取り付ける。装着時には、まず、クリップ７で袖部１１を挾持することにより、袖部１１に腕章本体２を支持させるとともに、袖部１１（使用者の腕）に対し腕章本体２を位置決めする。表示情報３を、その中央部が腕章本体２の長さ方向中央部付近に来るように配置しておけば、装着完了後の表示情報３の中央部の位置は、装着作業開始時にクリップ７で袖部１１を挟んだ位置付近になるので、初めに、袖部１１のうちの腕の外側となる位置をクリップ７で挟むようにすれば、確実に、表示情報３が見にくい腕の内側部分に来ないようにすることができる。【選択図】    図６
2007020647.tif 000002
【特許請求の範囲】
【請求項１】
少なくとも巻き方向に変形容易な帯状のシート状体からなる腕章本体と、この腕章本体の長さ方向中央部に取り付けられた、衣類の袖部を挾持可能なクリップとを有してなる腕章。
【請求項２】
前記クリップは、前記腕章本体の上側辺付近に、前記腕章本体から該腕章本体の幅方向外側に引き出せるようにして取り付けられている請求項１記載の腕章。
【請求項３】
前記クリップは、腕章装着後は、前記腕章本体によって覆われて外側から見えないこととなるように、前記腕章本体の内面側に取り付けられている請求項１記載の腕章。
【請求項４】
前記腕章本体の外面側に表示情報が担持されており、この表示情報の中央部は前記腕章本体の長さ方向中央部付近に配置されている請求項１乃至３のいずれかに記載の腕章。
【請求項５】
前記腕章本体に設けられ、前記腕章本体が使用者の腕に巻かれたときに互いに係合して前記腕章本体を巻かれた状態に維持する面ファスナーを有する請求項１乃至４のいずれかに記載の腕章。
【発明の詳細な説明】
【技術分野】
【０００１】
本発明は、腕に巻かれる腕章に関する。
【背景技術】
【０００２】
従来の一般的な腕章は、安全ピンにより衣類の袖部に留めるようになっていた。しかし、その場合には、
(ａ)片手で安全ピンを操作しなければならないので、腕章の取り付け、取り外し作業が面倒である、
(ｂ)衣服にピンを刺し通すため、衣服が損傷する虞がある、
(ｃ)防水布や硬質な布を素材とするもの等のピンを刺し通すことができない衣服を着ている場合には、使用することができない、
等の問題があった。
【０００３】
また、特許文献１は、「腕章本体が矩形の帯状片であり、帯状片の長手方向両端に雌雄の面ファスナーを設置し、帯状片の袖側端部中央に、作動レバーの手動操作により係合状態と解除状態が切り替わるロック可能なクリップを、柔軟な紐状体を介して設置した腕章」を開示している。この腕章によれば、まず、クリップで衣類の袖部を挟み、このクリップを起点にして腕章本体を腕に巻き付けることにより、前記従来の一般的な腕章の問題を解消できる。また、クリップが腕章本体の長手方向の一端部の中央に設置されているので、腕章を腕に巻いた装着状態においては、クリップおよび紐状体が腕章本体の内側に隠れ、外部に露出しないようにすることができる。
【特許文献１】特開平１１−２５３２１３号公報
【発明の開示】
【発明が解決しようとする課題】
【０００４】
多くの場合、腕章本体の外面側には、文字・記号等からなる表示情報が担持されている。しかしながら、前記特許文献１に開示されている腕章においては、クリップが腕章本体の長手方向の一端部に取り付けられていたので、クリップで衣類の袖部を挟み、このクリップを起点にして腕章本体を腕に巻き付けて行くとき、最終的に前記表示情報が腕のどの位置に来るのか予測困難であった。したがって、折角腕章を装着しても、結果的に前記表示情報が見にくい腕の内側部分に来てしまうことがあり、その場合には、腕章本体を解いて、もう一度、衣類の袖部の別の部分をクリップで挟み直し、腕章本体を巻き直すという作業を繰り返さなければならないという不便があった。
【０００５】
本発明は、このような従来の事情に鑑みてなされたもので、本発明の目的は、装着作業を開始する前に、使用者が、装着完了後における前記表示情報の位置を容易に予測でき、従来のように、腕章を一旦装着し終わったにもかからず、表示情報３の位置が不適正となってしまったため、装着作業をやり直す必要が生じるというよう不都合が生じることがない腕章を提供することにある。
【０００６】
本発明のさらに他の目的は、以下の説明から明らかになろう。
【課題を解決するための手段】
【０００７】
本発明による腕章は、少なくとも巻き方向に変形容易な帯状のシート状体からなる腕章本体と、この腕章本体の長さ方向中央部に取り付けられた、衣類の袖部を挾持可能なクリップとを有してなるものである。
【０００８】
本発明においては、まずクリップで衣類の袖部を挾持することにより、衣類の袖部に腕章本体を支持させるとともに、衣類の袖部（使用者の腕）に対し腕章本体の長さ方向中央部を位置決めすることができる。ここにおいて、クリップが腕章本体の長さ方向中央部に取り付けられているので、前記表示情報を、通常通り、その中央部が腕章本体の長さ方向中央部付近に来るように配置しておけば、装着完了後の前記表示情報の中央部の位置は、装着作業開始時にクリップで衣類の袖部を挟む位置付近になる。したがって、腕章装着作業の最初に、衣類の袖部のうちの腕の外側となる位置をクリップで挟むようにすれば、確実に、前記表示情報が見にくい腕の内側部分に来ないようにすることができる。このため、腕章の装着を一旦完了したのにもかかわらず、前記表示情報の位置を修正するために装着作業をやり直す必要が生じるということをなくすことができる。
【０００９】
なお、クリップを腕章本体の長さ方向中央部、かつ腕章本体の上側辺付近に取り付けた場合は、腕章装着後も、クリップが外側から見えることになるが、クリップを腕章本体の長さ方向中央部、かつ腕章本体の内面側に取り付ければ、腕章装着後は、クリップが腕章本体によって覆われて外側から見えなくなるようにすることができる。
【発明の効果】
【００１０】
本発明の腕章は、装着作業を開始する前に、使用者が装着完了後における前記表示情報の位置を容易に予測でき、腕章の装着を一旦完了したのにもかかわらず、前記表示情報の位置を修正するために装着作業をやり直す必要が生じることがない等の優れた効果を得られるものである。
【発明を実施するための最良の形態】
【００１１】
以下、本発明を図面に示す実施例に基づいて説明する。
【実施例１】
【００１２】
図１〜６は本発明の実施例１を示している。腕章１の主体を構成する腕章本体２は、帯状のシート状体からなる。前記シート状体としては、例えばビニール、合成レザー、布、フェルト等の、少なくとも巻き方向に変形容易な広範囲のシート状ないしはフィルム状材料が使用できる。また、前記シート状体は、シート状ないしはフィルム状材料が単層構造となっているものでもよいし、袋状に縫製する等によりシート状ないしはフィルム状材料が重層構造になっているものでもよい。前記腕章本体２の外面側には、文字・記号等からなる表示情報３が担持されている。ここで、前記表示情報３は、その中央部が腕章本体２の長さ方向中央部付近に位置するように配置されている。
【００１３】
前記腕章本体２の外面側、かつ長さ方向の一端部(図１における表側左端部)付近には、面ファスナー４が取り付けられている。前記腕章本体２の内面側、かつ長さ方向の他端部(図１における裏側右端部)付近には、前記面ファスナー４に係脱される面ファスナー５が取り付けられている。これにより、前記腕章本体２は、図３のように筒状に巻いた上、面ファスナー４，５を互いに係合することにより、筒状状態を維持させることができるようになっている。
【００１４】
前記腕章本体２の長さ方向中央部、かつ腕章本体２の上側辺２ａ付近には、変形容易な連結材６を介してクリップ７が取り付けられている。このクリップ７は、特許第２７０４６９７号公報に開示されている構造を有するものであり、それぞれプラスチック製の、互いに相対的に回動可能な第一の挾持部材８、第二の挾持部材９およびアーム部材１０を有しており、プラスチック自体の弾性により、第一の挾持部材８に対して第二の挾持部材９が、先端側が開かれる方向に付勢されている。そして、図４のようにアーム部材１０を第一の挾持部材８に対して直角方向に延びる位置に回動すると、第一の挾持部材８の先端側に対して第二の挾持部材９の先端側が開いた状態となる一方、図５のようにアーム部材１０を第一の挾持部材８と同方向に延びる位置に回動すると、第一の挾持部材８の先端側に対して第二の挾持部材９の先端側が閉じられ、かつその閉じられた状態に維持され、第一および第二の挾持部材９の先端部で衣類の袖部１１等の挾持対象物を挾持できるようになっている。
【００１５】
前記連結材６は、腕章本体２と同一のシート状ないしはフィルム状材料からなる帯状材を、図２，４および５によく示されるように、ループ状となるように腕章本体２の上側辺２ａ付近に縫製してなる。前記クリップ７のアーム部材１０の先端部付近には細長い取付穴１２が設けられており、この取付穴１２に連結材６によって構成されている前記ループが通されていることにより、前述のように腕章本体２の上側辺２ａ付近に連結材６を介してクリップ７が取り付けられている。ここにおいて、図１によく示されるように、クリップ７は、腕章本体２から連結材６とともに該腕章本体２の幅方向外側に引き出すことができるようになっている。
【００１６】
この腕章１においては、まず、図６のようにクリップ７で衣類の袖部１１を挾持することにより、腕章本体２を、クリップ７から連結材６を介して吊り下げられた状態で、衣類の袖部１１に支持させるとともに、衣類の袖部１１（使用者の腕）に対し腕章本体２の長さ方向中央部を位置決めすることができる。そして、次に、腕章本体２を衣類の袖部１１（腕）に巻き回し、面ファスナー４，５を互いに係合することにより、腕章本体２を衣類の袖部１１（腕）に簡単に装着できる。
【００１７】
ここにおいて、クリップ７が腕章本体２の長さ方向中央部に取り付けられているので、装着完了後の前記表示情報３の中央部の位置は、必ず、装着作業開始時にクリップ７で衣類の袖部１１を挟む位置付近になる(前述のように表示情報３は、その中央部が腕章本体２の長さ方向中央部付近に位置するように配置されている)。したがって、腕章１装着作業の最初に、クリップ７で衣類の袖部１１のうちの腕の外側となる位置を挟むようにすれば、確実に、表示情報３が見にくい腕の内側部分に来ないようにすることができる。このため、折角腕章１を一旦装着した後、表示情報３の位置を修正するために装着作業をやり直すというような必要が生じることがない。
【実施例２】
【００１８】
図７〜９は本発明の実施例２を示している。本実施例においては、クリップ７は、腕章本体２の長さ方向中央部ではあるが、前記実施例１と異なり、腕章本体２の上側辺２ａ付近ではなく、腕章本体２の内面側かつ幅方向中央部に連結材６を介して取り付けられている。これにより、クリップ７は、腕章本体２から該腕章本体２の幅方向および長さ方向のいずれにも外側に引き出せないようになっている。他の構成は実施例１と同様である。
【００１９】
なお、図７〜９では、作図の便宜上、連結材６を直立させた状態で描いているが、連結材６は実施例１と同一のものであり、変形容易であるから、現実には、自立的にこのような直立状態になることはない。
【００２０】
本実施例においても、まず、クリップ７で衣類の袖部１１を挾持することにより、衣類の袖部１１に腕章本体２を支持させるとともに、衣類の袖部１１（使用者の腕）に対し腕章本体２の長さ方向中央部を位置決めすることができる。そして、次に、腕章本体２を衣類の袖部１１（腕）に巻き回し、面ファスナー４，５を互いに係合することにより、腕章本体２を衣類の袖部１１（腕）に簡単に装着できる。また、クリップ７が前記実施例１の場合と同様に、腕章本体２の長さ方向中央部に取り付けられているので、装着完了後の表示情報３の中央部の位置は、必ず、装着作業開始時にクリップ７で衣類の袖部１１を挟む位置付近になる。したがって、前記実施例１の場合と同様に、腕章１装着作業の最初に、クリップ７で衣類の袖部１１のうちの腕の外側となる位置を挟むようにすれば、確実に、表示情報３が見にくい腕の内側部分に来ないようにすることができる。このため、折角腕章１を一旦装着した後、表示情報３の位置を修正するために装着作業をやり直すというような必要が生じることがない。
【００２１】
また、前記実施例１では、腕章１装着後も、クリップ７が外側から見えることになるが、本実施例では、クリップ７は腕章本体２の内面側かつ幅方向中央部に連結材６を介して取り付けられており、腕章本体２から該腕章本体２の幅方向および長さ方向のいずれにも外側に引き出せないようになっているので、腕章１装着後は、クリップ７が腕章本体２によって覆われて外側から見えなくなるようにすることができる。
なお、本発明におけるクリップは、必ずしも前記各実施例のような構成のクリップ７である必要はなく、衣類の袖部１１を挾持できるものであればよい。
【００２２】
また、前記各実施例においては、連結材６を介してクリップ７を腕章本体２に取り付けているが、連結材６を介することなく、クリップ７を直接腕章１に取り付けてもよい。さらに、連結材を介してクリップ７を腕章本体２に取り付ける場合も、連結材は前記各実施例のような構成のものでなくてもよく、紐、鎖等の他の種の変形容易な連結材であってもよい。
【００２３】
また、前記各実施例においては、腕章本体２に文字・記号等からなる表示情報３を直接担持させているが、実開平５−６４８７７号公報および実開平７−１０７７１号公報等に開示されているように、腕章本体に透明ポケットを設け、文字・記号等からなる表示情報を担持した表示片をこの透明ポケットに対し挿入および抜き出し可能とすることにより、表示情報を適宜取り替え可能に腕章本体に設けてもよい。
【産業上の利用可能性】
【００２４】
以上のように本発明による腕章は、腕に巻かれる腕章として有用である。
【図面の簡単な説明】
【００２５】
【図１】本発明による腕章の実施例１を、腕章本体を平面状に広げた状態で示す正面図である。
【図２】前記実施例１を、図１と同じく腕章本体を平面状に広げた状態で示す右側面図である。
【図３】前記実施例１を筒状に巻いた状態で示す平面図である。
【図４】前記実施例１におけるクリップを開いた状態において示す断面図である。
【図５】前記実施例１におけるクリップを閉じた状態において示す断面図である。
【図６】前記実施例１の装着状態を示す斜視図である。
【図７】本発明による腕章の実施例２を、腕章本体を平面状に広げた状態で示す背面図である。
【図８】前記実施例２を、図７と同じく腕章本体を平面状に広げた状態で示す平面図である(ただし、クリップ７付近のみを拡大して示している)。
【図９】前記実施例２を、図７と同じく腕章本体を平面状に広げた状態で示す右側面図である。
【符号の説明】
【００２６】
１    腕章
２    腕章本体
２ａ  腕章本体の上側辺
３    表示情報
４    面ファスナー
５    面ファスナー
６    連結材
７    クリップ
１１    衣類の袖部
【図１】
2007020647.tif 000003
【図２】
2007020647.tif 000004
【図３】
2007020647.tif 000005
【図４】
2007020647.tif 000006
【図５】
2007020647.tif 000007
【図６】
2007020647.tif 000008
【図７】
2007020647.tif 000009
【図８】
2007020647.tif 000010
【図９】
2007020647.tif 000011